(57)【特許請求の範囲】
【請求項１】
相手側コネクタとの嵌合状態をロックするロック部材を備えるコネクタにおいて、
前記コネクタは、コンタクトと、前記コンタクトを保持するハウジングとを有し、
前記ハウジングは、断面略四角形状を呈し、
前記ロック部材は、ロック部と、前記相手側コネクタの被ロック部との係合を解除する方向に前記ロック部を操作する操作部とを有し、
前記ロック部は、前記被ロック部と係合する係合部と、被当接部と、弾性変位するばね部とを有し、
前記操作部は、前記被当接部と当接し、前記ばね部を変位させる傾斜部を備えた当接部を有し、
前記ロック部と前記操作部とが前記ハウジングへの固定部を介して一体に形成されており、
前記操作部を前記ハウジングの厚さ方向に操作することにより、前記ロック部が前記厚さ方向と直交する前記ハウジングの幅方向に変位することを特徴とするコネクタ。
【請求項２】
前記ハウジングは、前記相手側コネクタとの嵌合離脱を案内するガイド部を有し、前記ガイド部に設けられている収容部に前記ロック部が収容されることを特徴とする請求項１記載のコネクタ。
【請求項３】
前記コネクタは、前記ハウジングを覆うシェルを更に有し、前記ロック部と前記操作部と前記シェルとを一体形成したことを特徴とする請求項１又は２記載のコネクタ。
【発明の詳細な説明】
【技術分野】
【０００１】
本発明は、コネクタに関し、詳しく述べると、操作部材をコネクタの厚さ方向に操作して、ロック部をコネクタの幅方向に変位させるロック構造に関する。
【背景技術】
【０００２】
従来のコネクタのロック構造について図５〜図９を引用して説明する（例えば、特許文献１参照。）。
【０００３】
コネクタは、図５に示されるように、一端部同士が互いに前後方向（第１の方向）に嵌合離脱する薄い箱型のプラグコネクタ２１とレセプタクルコネクタ３１とから構成される。
【０００４】
図６は、図５におけるプラグコネクタ２１の斜視図である。図７は、図６におけるプラグコネクタ２１の部分拡大斜視図である。図８は、図７におけるプラグコネクタ２１のロック解除用アーム２２ａの一部が切除された斜視図である。
【０００５】
図６，７に示されるように、プラグコネクタ２１は、箱型のインシュレータ２２と、インシュレータ２２内に幅方向（第２の方向）に所定のピッチで配設されている多数のプラグコンタクト２３と、インシュレータ２２の下面に設けられている金属シェル２４とから構成される。
【０００６】
インシュレータ２２は、プラグコネクタ２１のロック解除用アーム２２ａと、レセプタクルコネクタ３１と嵌合する嵌合部２２ｂと、ピン端子等が挿入される挿入孔２２ｃとを有する。
【０００７】
ロック機構２５は、インシュレータ２２の両側に設けられ、インシュレータ２２の一端から側方に延び屈曲して他端に向かって延びる角柱状であり、プラグコンタクト２３のピッチ方向に移動可能なロック解除用アーム２２ａと、金属シェル２４に一体に形成され、プラグコネクタ２１の厚さ方向（第３の方向）に移動可能ないかり状のロック片２４ａとを有する。ロック解除用アーム２２ａの先端部２２ａ１の外側には、手指で操作するための凹凸部が形成されている。
【０００８】
図８に示されるように、金属シェル２４にロック片２４ａが一体に形成され、また、金属シェル２４の外側縁寄りの一面には、ロック解除用アーム２２ａの先端部２２ａ１と幅方向に対向するように、幅方向の断面半円形で前後方向の断面略半長円状の突出部２４ｂが形成されている。これによって、ロック解除用アーム２２ａとロック片２４ａとが突出部２４ｂを介して連動する。
【０００９】
図９の状態において、プラグコネクタ２１を両側から手指で挟むように矢印Ａ方向に押すと、両ロック解除用アーム２２ａは内側に変形する。すると、ロック解除用アーム２２ａの先端部２２ａ１の下端内側に突出して形成された突出部２２ａ１ａの斜面２２ａ１ｂは、突出部２４ｂを矢印Ｂ方向に押す。
【００１０】
したがって、金属シェル２４のロック片２４ａの先端部２４ａ１は、レセプタクルコネクタ３１の係合部（図示せず）からはずれるので、ロックが解除される。よって、プラグコネクタ２１をレセプタクルコネクタ３１から引き抜くことができる。
【００１１】
【特許文献１】特開２００２−１９０３５１号公報
【発明の開示】
【発明が解決しようとする課題】
【００１２】
前記従来のコネクタのロック構造では、ロックを解除する際、コネクタの一対のロック解除用アームを両側から手指で挟むから、操作性が不便である。また、コネクタ(ハウジング)の幅方向（第２の方向）の操作力によって厚さ方向（第３の方向）のロックの解除を行うから、図６の矢印に示される厚さ方向のこじりが生じるので、ロック強度が弱い。なお、ロック強度を向上すると、ロックの解除が困難である。
【００１３】
そこで、本発明は、前記従来のコネクタの欠点を改良し、操作性が便利で、また、従来のコネクタのロック強度を維持することができ、しかも、ロックを解除し易いコネクタを提供しようとするものである。
【課題を解決するための手段】
【００１４】
本発明は、前記課題を解決するため、次の手段を採用する。構成の後に実施例の部材部位の符号を記載する。
【００１５】
１．相手側コネクタ１１との嵌合状態をロックするロック部材３を備えるコネクタ１において、前記コネクタは、コンタクトと、前記コンタクトを保持するハウジング２とを有し、前記ハウジングは、断面略四角形状を呈し、前記ロック部材は、ロック部３ｂと、前記相手側コネクタの被ロック部との係合を解除する方向に前記ロック部を操作する操作部３ａとを有し、前記ロック部は、前記被ロック部と係合する係合部３ｂ１と、被当接部３ｂ２と、弾性変位するばね部３ｂ３とを有し、前記操作部は、前記被当接部と当接し、前記ばね部を変位させる傾斜部３ａ３を備えた当接部３ａ２を有し、前記ロック部と前記操作部とが前記ハウジングへの固定部を介して一体に形成されており、前記操作部を前記ハウジングの厚さ方向に操作することにより、前記ロック部が前記厚さ方向と直交する前記ハウジングの幅方向に変位するコネクタ。
【００１６】
２．前記ハウジングは、前記相手側コネクタとの嵌合離脱を案内するガイド部２ａを有し、前記ガイド部に設けられている収容部２ｂに前記ロック部が収容される前記１記載のコネクタ。
【００１８】
３．前記コネクタは、前記ハウジングを覆うシェル４を更に有し、前記ロック部と前記操作部と前記シェルとを一体形成したことを特徴とする請求項１又は２記載のコネクタ。
【発明の効果】
【００１９】
明細書の説明から明らかなように、本発明は、次の効果を奏する。
【００２０】
１．操作部をハウジングの厚さ方向に操作することによって相手側コネクタとの嵌合状態が解除されるので、操作性が便利である。
【００２１】
２．相手側コネクタとの嵌合状態の解除の際、ハウジングの厚さ方向のこじりが生じないので、従来のコネクタと同程度のロック強度を維持することができ、しかも、ロックを解除し易いコネクタを提供することができる。
【００２２】
３．構造が簡素で、部品点数が少ない。
【００２３】
４．コネクタの組立工程が簡便であるから、作業性が向上する。
【発明を実施するための最良の形態】
【００２４】
本発明の一実施例のコネクタについて説明する。
【実施例１】
【００２５】
本発明の実施例１のコネクタについて図１〜図４を参照して説明する。
【００２６】
図１（Ａ）は、コネクタ１のハウジング２の方向性を示す斜視図である。図１（Ｂ）は、ロック部材３の操作方向とロック解除方向を示す模式図である。
【００２７】
ロック部材３（詳細は図３参照）の操作部３ａの最上部に形成されている断面略Ｕ字形状のボタン３ａ１をハウジングの厚さ方向Ａに押す。すると、操作部３ａは、相手側コネクタ（図示せず）の被係合部と係合するロック部３ｂをロック解除方向Ｂに押す。操作部３ａのボタン３ａ１が突出形成されているので、図４（ｃ）に示す如く、操作をし易く構成される。
【００２８】
図２(Ａ)〜(Ｅ)は、コネクタ１とロック部材３とカバーシェル４の諸図である。
【００２９】
（Ａ）は、ハウジング２にロック部材３とカバーシェル４が取り付けられた状態のコネクタ１の斜視図である。ハウジング２は、断面略四角形状を呈する。ハウジング２には、多数のコンタクト５が所定のピッチで１列に保持されている。ハウジング２の前部両側に相手側コネクタとの嵌合離脱を案内するガイド部２ａが設けられ、ガイド部２ａに設けられている収容部２ｂにロック部３ｂが収容される。（Ｂ）は、操作部３ａと一対のロック部３ｂとが一体形状のロック部材３の斜視図である。（Ｃ）は、ロック部材３の操作部３ａと一対のロック部３ｂとハウジング２の嵌合部を覆う本体部４ａが設けられたカバーシェル４とが一体形状の構成の斜視図である。本体部４ａは、相手側コネクタのグランドコンタクト又は相手側シェル（図示せず）と接続する。（Ｄ）は、ロック部材３のロック部３ｂとカバーシェル４とが一体形状の構成の拡大斜視図である。
【００３０】
図３(Ａ)〜(Ｄ)は、ロック部材３とその動作を示す諸図である。
【００３１】
(Ａ)は、操作部３ａと一対のロック部３ｂとが一体形状のロック部材３の斜視図である。（Ｂ）は、ロック部材３の半分の拡大斜視図である。ロック部材３は、左右対称構造であるので、半分について説明する。ロック部材３は、操作部３ａとロック部３ｂとハウジング２への固定部３ｃとから構成される。ロック部３ｂは固定部３ｃの一側面から延設して形成され、操作部３ａは固定部３ｃの一側面と隣接する他側面から延設して形成される。ロック部材３の操作部３ａの最上部にＵ字形状のボタン３ａ１が形成され、操作部３ａの側面に傾斜部３ａ３を有する当接部３ａ２が突出形成されている。ロック部３ｂは、先端部に矢じり形状の係合部３ｂ１が設けられた第２ばね部３ｂ４、中間部にクランク形状の被当接部３ｂ２、後端部に弾性変位する第１ばね部３ｂ３を、それぞれ有する。第２ばね部３ｂ４は、弾性変形するように構成してもよい。
【００３２】
ロック部３ｂは、固定部３ｃから直線状に延びる第１ばね部３ｂ３と第１ばね部３ｂ３から延設方向と交差する方向である斜めに延びる被当接部３ｂ２（クランク形状）と被当接部３ｂ２から第１ばね部３ｂ３と同方向に直線状に延設される第２ばね部３ｂ４とから形成される。
【００３３】
（Ｃ）は、ボタン３ａ１を矢印Ａ方向（（Ｂ）における矢印Ａ方向）に押したときの操作部３ａの動作を示し、操作部３ａは固定部３ｃを中心とする回転運動をしながら実線の位置から破線の位置まで移動する。このとき、被当接部（３ｂ２）を手前に巻き込むような軌道をえがきながら当接部３ａ２の傾斜部３ａ３がロック部３ｂの被当接部３ｂ２に当接して被当接部３ｂ２を押すので、ばね部３ｂ３は弾性変位する。したがって、係合部３ｂ１は、（Ｂ）における矢印Ｂ方向に移動する。
【００３４】
すなわち、一対の係合部３ｂ１は、（Ｄ）に示されるように、それぞれ外側から内側へ矢印Ｂ方向に移動するから、相手側コネクタ（図示せず）の被ロック部との係合を解除する。
【００３５】
図４は、実施例１のコネクタ１がケーブル側コネクタである場合の基板側コネクタ１１との嵌合の前後の状態を示す諸図である。
【００３６】
（Ａ）は嵌合前の状態を示す斜視図であり、（Ｂ）は嵌合した状態を示す斜視図であり、（Ｃ）は嵌合した状態を示す拡大側面図である。矢印は、ボタン３ａ１を押す方向を示す。
【図面の簡単な説明】
【００３７】
【図１】（Ａ）は、本発明の実施例１のコネクタのハウジングの方向性を示す斜視図である。（Ｂ）は、ロック部材の操作方向とロック解除方向を示す模式図である。
【図２】同コネクタと同ロック部材とカバーシェルの諸図である。（Ａ）は、同ハウジングに同ロック部材と同カバーシェルが取り付けられた状態の同コネクタの斜視図である。（Ｂ）は、操作部と一対の同ロック部とが一体形状の同ロック部材の斜視図である。（Ｃ）は、同ロック部材の同操作部と一対の同ロック部と同カバーシェルとが一体形状の構成の斜視図である。（Ｄ）は、同ロック部材の同ロック部と同カバーシェルとが一体形状の構成の拡大斜視図である。
【図３】同ロック部材とその動作を示す諸図である。(Ａ)は、同操作部と一対の同ロック部とが一体形状の同ロック部材の斜視図である。（Ｂ）は、同ロック部材の半分の拡大斜視図である。（Ｃ）は、同ロック部材の側面図である。（Ｄ）は、同ロック部材の平面図である。
【図４】実施例１のコネクタがケーブル側コネクタである場合の基板側コネクタとの嵌合の前後の状態を示す諸図である。（Ａ）は嵌合前の状態を示す斜視図であり、（Ｂ）は嵌合した状態を示す斜視図であり、（Ｃ）は嵌合した状態を示す拡大側面図である。
【図５】従来のコネクタ、すなわち、プラグコネクタとレセプタクルコネクタとが嵌合した状態の斜視図である。
【図６】同プラグコネクタの斜視図である。
【図７】同プラグコネクタの部分拡大斜視図である。
【図８】同プラグコネクタのロック解除用アームの一部が切除された斜視図である。
【図９】同プラグコネクタの部分拡大正面図である。
【符号の説明】
【００３８】
１  コネクタ、ケーブル側コネクタ
２  ハウジング
２ａ  ガイド部
２ｂ  収容部
３  ロック部材
３ａ  操作部
３ａ１  ボタン
３ａ２  当接部
３ａ３  傾斜部
３ｂ  ロック部
３ｂ１  係合部
３ｂ２  被当接部
３ｂ３  第１ばね部（ばね部）
３ｂ４  第２ばね部（ばね部）
３ｃ，３ｃ´  固定部
４  カバーシェル（シェル）
４ａ  本体部
５  コンタクト
１１  基板側コネクタ
【図１】
0004575423.tif 000002
【図２】
0004575423.tif 000003
【図３】
0004575423.tif 000004
【図４】
0004575423.tif 000005
【図５】
0004575423.tif 000006
【図６】
0004575423.tif 000007
【図７】
0004575423.tif 000008
【図８】
0004575423.tif 000009
【図９】
0004575423.tif 000010